【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
被験者の診断画像をセグメント化するためのデバイスであって、当該デバイスは、
前記被験者の前記診断画像を受信するためのデータインタフェースであって、前記診断画像は前記被験者の解剖学的構造を示すデータインタフェースと、
画像位置決め手段のユーザによって開始される動作を、ディスプレイデバイス上での表示のために、前記解剖学的構造を囲む第１の輪郭に変換するための変換ユニットと、
前記ユーザによって開始される動作の動作パラメータを前記第１の輪郭にレジストレーションするための動作パラメータレジストレーションユニットであって、前記動作パラメータは前記画像位置決め手段に係る速度及び／又は加速度を含む動作パラメータレジストレーションユニットと、
前記動作パラメータに伴って密度が減少する複数の画像制御ポイントを前記第１の輪郭に分配するための画像制御ポイントユニットと、
前記複数の画像制御ポイントに基づいて、前記第１の輪郭内の第２の輪郭を決定することにより、前記ディスプレイデバイス上に表示された前記診断画像をセグメント化するためのセグメンテーションユニットであって、１つ以上のセグメンテーション機能を使用するセグメンテーションユニットとを備える、デバイス。
【請求項２】
前記セグメンテーションユニットは、前記第１の輪郭内の複数の標的ポイントを識別し、前記標的ポイントそれぞれは前記画像制御ポイントのうちの対応する１つで始まる経路及び／又はボリューム内に位置し、前記第２の輪郭は前記複数の標的ポイントを接続することによって形成される、請求項１に記載のデバイス。
【請求項３】
前記経路は直線経路を含み、前記直線経路は前記第１の輪郭のエッジに直交又は斜交し、及び／又は前記動作パラメータに伴って長さを増す、請求項２に記載のデバイス。
【請求項４】
前記セグメンテーションユニットは前記ボリューム及び／又は前記経路上の前記診断画像の画像パラメータを解析し、前記画像パラメータのピークを検出する前記標的ポイントを識別する、請求項２に記載のデバイス。
【請求項５】
前記画像パラメータは画像の勾配を含み、前記セグメンテーションユニットは、前記画像の勾配の勾配ピークを検出する前記標的ポイントを識別する、請求項４に記載のデバイス。
【請求項６】
前記勾配ピークは、前記画像制御ポイントから開始して第１の勾配ピーク及び／又は最大の勾配ピークを含む、請求項５に記載のデバイス。
【請求項７】
前記セグメンテーションユニットは、前記勾配ピークが所定の勾配閾値を上回る場合に限り前記標的ポイントを識別する、請求項５に記載のデバイス。
【請求項８】
前記第２の輪郭は前記動作パラメータに伴って増す前記第１の輪郭までの距離を含む、請求項１に記載のデバイス。
【請求項９】
前記診断画像は、第１の画像スライス及び少なくとも１つの第２の画像スライスを含み、前記第１の画像スライスから前記少なくとも１つの第２の画像スライスへ、前記解剖学的構造、前記第１の輪郭及び／又は前記第２の輪郭を転送するための転送ユニットをさらに含む、請求項１に記載のデバイス。
【請求項１０】
前記画像制御ポイントユニットは、前記動作パラメータを使用せずに複数の追加の画像制御ポイントを分配する、請求項１に記載のデバイス。
【請求項１１】
前記動作パラメータレジストレーションユニットは、前記動作パラメータが所定の閾値パラメータより低い場合にはエラーの信号を送る、請求項１に記載のデバイス。
【請求項１２】
前記セグメンテーションユニットはセグメンテーション機能として動的輪郭、モデルベースのセグメンテーション及び／又はグラフカットを使用する、請求項１に記載のデバイス。
【請求項１３】
被験者の診断画像をセグメント化するためのシステムであって、
前記被験者の解剖学的構造の少なくとも１つの診断画像を生成するための撮像装置と、
生成された前記少なくとも１つの診断画像をセグメント化するための請求項１に記載のデバイスとを備える、システム。
【請求項１４】
被験者の診断画像をセグメント化するための方法であって、当該方法は、
診断イメージャによって生成された前記被験者の前記診断画像を受信するステップであって、前記診断画像は前記被験者の解剖学的構造を示すステップと、
画像位置決め手段のユーザによって開始される動作を、ディスプレイデバイス上に表示された前記解剖学的構造を囲む第１の輪郭に変換するステップと、
前記ユーザによって開始される動作の動作パラメータを前記第１の輪郭にレジストレーションするステップであって、前記動作パラメータは前記画像位置決め手段に係る速度及び／又は加速度を含むステップと、
前記動作パラメータに伴って密度が減少する複数の画像制御ポイントを前記第１の輪郭上に分配するステップと、
セグメンテーションユニットが１つ以上のセグメンテーション機能を使用し、前記複数の画像制御ポイントに基づいて前記第１の輪郭内の第２の輪郭を決定することにより前記診断画像をセグメント化するステップとを含み、
前記診断画像、前記第１の輪郭、及び前記第２の輪郭が前記ディスプレイデバイス上に表示される、方法。
【請求項１５】
コンピュータを制御して請求項１４に記載の方法のステップを実行するためのプログラムコードを担持する、非一時的コンピュータ可読媒体。
【請求項１６】
前記セグメント化するステップは、前記第１の輪郭内の複数の標的ポイントを識別し、前記標的ポイントそれぞれは、前記画像制御ポイントのうちの対応する１つで始まり内側に延びる直線の経路に沿って位置する、及び／又は、ボリューム内に位置し、前記第２の輪郭は前記複数の標的ポイントを接続することによって形成される、請求項１４に記載の方法。
【請求項１７】
前記セグメント化するステップは、前記経路上の前記診断画像の画像パラメータを解析するステップと、前記解析するステップが前記画像パラメータのピークを決定して、前記標的ポイントを識別するステップとを含む、請求項１６に記載の方法。
【請求項１８】
診断イメージャによって生成された被験者の診断画像をセグメント化するためのデバイスであって、当該デバイスは、
前記被験者の前記診断画像を受信するデータインタフェースであって、前記診断画像は前記被験者の解剖学的構造を示すデータインタフェースと、
コンピュータとを備え、当該コンピュータは、
ユーザ入力デバイスのユーザによって開始される動作を前記解剖学的構造を囲む第１の輪郭に変換し、モニタを制御して解剖学的画像を前記第１の輪郭と共に表示し、
前記ユーザ入力デバイスの前記ユーザによって開始される動作の速度及び／又は加速度を前記第１の輪郭にレジストレーションし、
少なくとも１つの前記ユーザ入力デバイスに係る前記速度及び／又は加速度に伴って複数の画像制御ポイントの密度が減少する前記第１の輪郭上の当該複数の画像制御ポイントを画定し、
１つ以上のセグメンテーション機能を使用して、前記複数の画像制御ポイントに基づいて前記第１の輪郭内の第２の輪郭を決定することにより、前記診断画像をセグメント化し、ディスプレイデバイスを制御して前記第２の輪郭を前記解剖学的画像と共に表示する、デバイス。
【請求項１９】
前記コンピュータはさらに、
前記第１の輪郭内の複数の標的ポイントを識別し、前記標的ポイントそれぞれは、前記画像制御ポイントのうちの対応する１つで始まり前記第１の輪郭のボリューム内に延びる直線経路に沿って、前記ボリューム内に位置し、
前記直線経路に沿った前記診断画像の画像パラメータを解析し、前記画像パラメータのピークが検出される前記標的ポイントを識別し、
前記複数の標的ポイントを接続して前記第２の輪郭を画定する、請求項１８に記載のデバイス。
【請求項２０】
前記直線経路は、前記第１の輪郭のエッジに直交又は斜交して内側に延び、前記ユーザ入力デバイスの前記ユーザによって開始される動作の前記速度及び／又は加速度に伴って長さを増す、請求項１９に記載のデバイス。